(57)【要約】【課題】磁性板が予め設定された光軸方向に対して周方向に傾くことを抑制したレンズ駆動装置、及びこれを備えたカメラモジュールを提供する。【解決手段】レンズ駆動装置は、レンズからの光を通すための開口穴が設けられた基部を有するベース３０と、このベース３０に取り付けられるケースと、ベース３０とケースとによって形成される内部空間に収納されるとともにレンズを保持するホルダと、ホルダに固定される磁石と、ベース３０に固定されるとともにレンズの径方向において磁石と対向する磁性板７０とを備えている。そしてベース３０には、周方向において磁性板７０の周方向の一方側の面のみと当接することにより、この磁性板７０の周方向の位置を決める第１位置決め部３１ｄが設けられている。【選択図】図３
2012225945.tif 000002
【特許請求の範囲】
【請求項１】
レンズからの光を通すための開口穴が設けられた基部を有するベースと、このベースに取り付けられるケースと、前記ベースと前記ケースとによって形成される内部空間に収納されるとともに前記レンズを保持するホルダと、前記ホルダに固定される磁石と、前記ベースに固定されるとともに前記レンズの径方向において前記磁石と対向する磁性板とを備え、前記ホルダが前記レンズの光軸方向に移動するレンズ駆動装置において、
前記ベースまたは前記ケースには、前記レンズを前記径方向から取り囲む方向である周方向において前記磁性板の前記周方向の一方側の面のみと当接することにより、この磁性板の前記周方向の位置を決める周方向位置決め部が設けられ、
前記周方向位置決め部における前記磁性板と当接する面は、前記光軸方向に沿って延びる
ことを特徴とするレンズ駆動装置。
【請求項２】
請求項１に記載のレンズ駆動装置において、
前記周方向位置決め部は、前記光軸方向に離間して複数設けられるとともに、前記周方向位置決め部の前記面は前記周方向において互いに略同位置に配置される
ことを特徴とするレンズ駆動装置。
【請求項３】
請求項１または請求項２に記載のレンズ駆動装置において、
前記ベースまたは前記ケースには、前記磁性板の径方向の面と当接することにより前記磁性板の前記径方向の位置を決定する径方向位置決め部が設けられる
ことを特徴とするレンズ駆動装置。
【請求項４】
請求項１〜請求項３のいずれか一項に記載のレンズ駆動装置において、
前記基部には、前記光軸方向に向かい延びる複数の支柱部が前記周方向に離間して複数設けられ、
前記複数の支柱部には、これら支柱部を前記径方向の外方から取り囲むように導電線が巻回することによりコイルが形成され、
前記周方向に隣り合う前記支柱部には、これら支柱部を互いに連結する連結部が設けられ、
前記周方向位置決め部は、前記連結部に設けられる
ことを特徴とするレンズ駆動装置。
【請求項５】
請求項４に記載のレンズ駆動装置において、
前記連結部は、前記支柱部の前記光軸方向における前記基部側に設けられた第１連結部と、前記支柱部の前記光軸方向における前記基部側とは反対側に設けられた第２連結部とを有し、
前記第１連結部及び前記第２連結部には、前記周方向位置決め部がそれぞれ設けられる
ことを特徴とするレンズ駆動装置。
【請求項６】
請求項４または請求項５に記載のレンズ駆動装置において、
前記径方向位置決め部は、前記連結部の前記径方向の外方の側面である
ことを特徴とするレンズ駆動装置。
【請求項７】
請求項６に記載のレンズ駆動装置において、
前記径方向位置決め部は、前記第１連結部の前記径方向の外方の側面及び前記第２連結部の前記径方向の外方の側面である
ことを特徴とするレンズ駆動装置。
【請求項８】
請求項１〜請求項７のいずれか一項に記載のレンズ駆動装置を搭載したことを特徴とするカメラモジュール。
【発明の詳細な説明】
【技術分野】
【０００１】
本発明は、ベースと、このベースに取り付けられるケースと、ベースとケースとによって形成される内部空間に収納されるとともにレンズを保持するホルダと、ホルダに固定される磁石と、レンズの径方向において磁石と対向する磁性板とを備えるレンズ駆動装置及びこれを備えたカメラモジュールに関する。
【背景技術】
【０００２】
近年、携帯電話に搭載されるカメラは、高画素化が進み、オートフォーカスが必須の機能となっている。そこで、このカメラのオートフォーカスを行うため、携帯電話にはレンズ駆動装置が搭載されている。一方、携帯電話の薄型化及び小型化に伴い、レンズ駆動装置に与えられるスペースを縮小する要求が高まっている。この要求に対応するため、レンズ駆動装置のレンズを駆動させる構造としては、例えば、特許文献１のようなボイスコイル型の構造が採用されている。このボイスコイル型の構造は、一般的なステッピングモータを用いた構造と比較して、構成を簡略化できるため、レンズ駆動装置の小型化を達成できることが知られている。
【０００３】
上記のボイスコイル型の構造では、レンズを保持するホルダ側にコイルを装着するとともに、ベース側に磁石を装着し、コイルに電流を印加することで生じる電磁駆動力によって、ホルダをレンズの光軸方向に移動している。また、ホルダをばね部材で支えるとともに、このばね部材をコイルへの給電用に共用し、ホルダから配線が引き出されないように構成されている（例えば、特許文献１参照）。
【０００４】
この構成によれば、コイルへ給電するための配線がホルダから引き出されないため、レンズの移動の際に、配線に不要な振動や張力が加わることにより配線が破損してしまう問題を抑制することができる。しかし、その反面、この構成では、ばね部材の構造が複雑であるため、レンズ駆動装置の製造時の歩留まりが低下しやすい問題が生じる。
【０００５】
このような問題を解消するための構成として、ホルダ側に磁石を装着し、ベース側にコイルを装着する構成が考えられる。この構成では、ホルダに配線を施す必要がないため、レンズの移動時における配線の破損を抑制するとともに、ばね部材を削除することによるレンズ駆動装置の構成の簡素化を図ることができる。
【先行技術文献】
【特許文献】
【０００６】
【特許文献１】特開２００４−２８００３１号公報
【発明の概要】
【発明が解決しようとする課題】
【０００７】
ところで、上述のホルダ側に磁石を装着し、ベース側にコイルを装着する構成のレンズ駆動装置では、コイルへの通電によって発生するコイルと磁石との間の磁力によりホルダが光軸方向に移動するようになる。このホルダの光軸方向の移動に伴い、レンズが光軸方向に移動するようになる。また、このレンズ駆動装置には、ホルダの光軸方向の移動をガイドするためのガイドシャフトが設けられている。具体的には、ホルダに設けられた光軸方向に貫通する挿通孔にガイドシャフトが挿入されている。また、このレンズ駆動装置では、重力の作用によるホルダの鉛直方向の上方への移動と鉛直方向の下方への移動との駆動差を抑制するため、磁石の径方向に対向する位置に磁性板が配置されている。この構成により、磁石及びこの磁石が固定されるホルダが磁性板側に磁気吸引されるため、ホルダとガイドシャフトとを圧接した状態に維持することができるようになる。したがって、ホルダとガイドシャフトとの圧接が重力に対する抵抗となるため、上記鉛直方向における駆動差を抑制することができるようになる。
【０００８】
しかしながら、上記レンズ駆動装置のような小型の電子部品においては、このレンズ駆動装置を構成する部品である磁性板も非常に小さいものとなる。したがって、磁性板を磁石に対して正確に配置することが困難であり、例えば、磁性板がレンズを径方向から取り囲む方向である周方向に傾いた状態にて取り付けられてしまう場合がある。この場合には、磁石と磁性板との磁気作用により、ホルダが磁性板の上記傾きに応じて傾いた状態にて移動してしまう場合がある。これにより、レンズの光軸が、予め設定された光軸の方向とは異なる方向となってしまう場合がある。
【０００９】
本発明は、上記実情に鑑みてなされたものであり、その目的とするところは、磁性板が周方向に傾くことを抑制したレンズ駆動装置、及びこれを備えたカメラモジュールを提供することである。
【課題を解決するための手段】
【００１０】
上記目的を達成するために、請求項１に記載の発明は、レンズからの光を通すための開口穴が設けられた基部を有するベースと、このベースに取り付けられるケースと、前記ベースと前記ケースとによって形成される内部空間に収納されるとともに前記レンズを保持するホルダと、前記ホルダに固定される磁石と、前記ベースに固定されるとともに前記レンズの径方向において前記磁石と対向する磁性板とを備え、前記ホルダが前記レンズの光軸方向に移動するレンズ駆動装置において、前記ベースまたは前記ケースには、前記レンズを前記径方向から取り囲む方向である周方向において前記磁性板の前記周方向の一方側の面のみと当接することにより、この磁性板の前記周方向の位置を決める周方向位置決め部が設けられ、前記周方向位置決め部における前記磁性板と当接する面は、前記光軸方向に沿って延びることを要旨とする。
【００１１】
この発明によれば、周方向位置決め部の光軸方向に沿った面に磁性板が当接することにより、磁性板は上記面に沿って配置されるようになる。したがって、同周方向位置決め部が設けられていない場合と比較して、磁性板の周方向への傾きを抑制することができるようになる。
【００１２】
請求項２に記載の発明は、請求項１に記載のレンズ駆動装置において、前記周方向位置決め部は、前記光軸方向に離間して複数設けられるとともに、前記周方向位置決め部の前記面は前記周方向において互いに略同位置に配置されることを要旨とする。
【００１３】
この発明によれば、ベースに周方向位置決め部がレンズの光軸方向に離間して複数設けられるとともに、これら周方向位置決め部の磁性板と当接する面が周方向において互いに略同位置に設けられることにより、この周方向位置決め部が光軸方向において１つのみ設けられる場合と比較して、磁性板の周方向への傾きを抑制することができるようになる。
【００１４】
請求項３に記載の発明は、請求項１または請求項２に記載のレンズ駆動装置において、前記ベースまたは前記ケースには、前記磁性板の径方向の面と当接することにより前記磁性板の前記径方向の位置を決定する径方向位置決め部が設けられることを要旨とする。
【００１５】
この発明によれば、径方向位置決め部により、磁性板と磁石との径方向の距離を正確に設定することができるようになる。したがって、磁性板と磁石との径方向の距離のばらつきによるホルダの径方向の付勢力のばらつきを抑制することができるようになる。
【００１６】
請求項４に記載の発明は、請求項１〜請求項３のいずれか一項に記載のレンズ駆動装置において、前記基部には、前記光軸方向に向かい延びる複数の支柱部が前記周方向に離間して複数設けられ、前記複数の支柱部には、これら支柱部を前記径方向の外方から取り囲むように導電線が巻回することによりコイルが形成され、前記周方向に隣り合う前記支柱部には、これら支柱部を互いに連結する連結部が設けられ、前記周方向位置決め部は、前記連結部に設けられることを要旨とする。
【００１７】
この発明によれば、連結部が周方向に隣り合う支柱部を結ぶことにより、これら支柱部の強度が向上するようになる。これにより、コイルを支柱部に加わる外力に対して支柱部が倒れることを抑制することができるようになる。そして、連結部に周方向位置決め部が設けられるため、基部から光軸方向に離間した位置に周方向位置決め部が設けられる場合において、周方向位置決め部同士を光軸方向に連結する形状をベースに別途成形することが省略されるようになる。したがって、ベースの形状を簡単化することができるようになる。
【００１８】
請求項５に記載の発明は、請求項４に記載のレンズ駆動装置において、前記連結部は、前記支柱部の前記光軸方向における前記基部側に設けられた第１連結部と、前記支柱部の前記光軸方向における前記基部側とは反対側に設けられた第２連結部とを有し、前記第１連結部及び前記第２連結部には、前記周方向位置決め部がそれぞれ設けられることを要旨とする。
【００１９】
この発明によれば、第１連結部及び第２連結部のそれぞれに周方向位置決め部を設けるため、ベースの形状を簡単化することができるようになる。
ところで、周方向位置決め部を光軸方向に複数設ける場合では、これら周方向位置決め部を光軸方向に連結する部位及びベースと周方向位置決め部とを連結する部位とが必要となる。しかしながら、これら部位を構成する場合、ベースの形状が複雑になってしまう問題がある。その点において、第１連結部及び第２連結部のそれぞれに周方向位置決め部を設けるため、上述の各部位を省略することができるようになる。したがって、ベースの形状の簡単化を図ることができるようになる。
【００２０】
請求項６に記載の発明は、請求項４または請求項５に記載のレンズ駆動装置において、前記径方向位置決め部は、前記連結部の前記径方向の外方の側面であることを要旨とする。
【００２１】
この発明によれば、連結部の側面が径方向位置決め部を兼ねる構成であるため、ベースに径方向位置決め部の専用の形状を設けることを省略することができる。したがって、ベースの形状を簡単化することができる。
【００２２】
請求項７に記載の発明は、請求項６に記載のレンズ駆動装置において、前記径方向位置決め部は、前記第１連結部の前記径方向の外方の側面及び前記第２連結部の前記径方向の外方の側面であることを要旨とする。
【００２３】
この発明によれば、第１連結部の側面及び第２連結部の側面の両面にて磁性板の径方向の面を当接することとなり、磁性板の径方向への傾きを抑制することができるようになる。その上、第１連結部及び第２連結部のそれぞれが径方向位置決め部を兼ねる構成であるため、ベースに径方向位置決め部の専用の形状を設けることを省略することができる。したがって、ベースの形状を簡単化することができる。
【００２４】
請求項８に記載の発明は、請求項１〜請求項７のいずれか一項に記載のレンズ駆動装置を搭載したカメラモジュールであることを要旨とする。
この発明によれば、レンズ駆動装置を好適にカメラモジュールに適用することができるようになる。
【発明の効果】
【００２５】
本発明によれば、磁性板が周方向に傾くことを抑制したレンズ駆動装置、及びこれを備えたカメラモジュールを提供することができる。
【図面の簡単な説明】
【００２６】
【図１】本発明に係るレンズ駆動装置を具体化した第１の実施形態について、同レンズ駆動装置の分解斜視構造を示す斜視図。
【図２】同実施形態のレンズ駆動装置について、（ａ）ベースの斜視構造を示す斜視図、（ｂ）（ａ）の一点鎖線Ｃ１の拡大構造を示す拡大図、（ｃ）（ａ）の一点鎖線Ｃ２の拡大構造を示す拡大図。
【図３】同実施形態のレンズ駆動装置について、ベースに磁性板が取り付けられた状態の側面構造を示す側面図。
【図４】同実施形態のレンズ駆動装置について、同レンズ駆動装置の一部の断面構造を示す断面図。
【図５】同実施形態のレンズ駆動装置について、移動体と磁性板との配置関係を示す上面図。
【図６】同実施形態のレンズ駆動装置について、（ａ）移動体がホームポジションに位置する状態の断面構造を示す断面図、（ｂ）移動体がオンフォーカス位置に位置する状態の断面構造を示す断面図。
【図７】同実施形態のレンズ駆動装置を搭載したカメラモジュールの構成を示す模式図。
【図８】本発明に係るレンズ駆動装置を具体化した第２の実施形態について、（ａ）ケースの斜視構造を示す斜視図、（ｂ）ケースの下方側の斜視構造を示す斜視図。
【図９】同実施形態のレンズ駆動装置について、（ａ）ケースに磁性板を取り付けた状態の下方側の斜視構造を示す斜視図、（ｂ）ケースに磁性板を取り付けた状態の下面構造を示す下面図。
【図１０】同実施形態のレンズ駆動装置について、同レンズ駆動装置の断面構造を示す断面図。
【図１１】本発明に係るレンズ駆動装置を具体化したその他の実施形態について、（ａ）ベースの斜視構造を示す斜視図、（ｂ）ベースに磁性板を取り付けた状態における側面構造を示す側面図。
【図１２】本発明に係るレンズ駆動装置を具体化したその他の実施形態について、ベースの側面構造を示す側面図。
【図１３】本発明に係るレンズ駆動装置を具体化したその他の実施形態について、ベースの側面構造を示す側面図。
【図１４】本発明に係るレンズ駆動装置を具体化したその他の実施形態について、ベースの側面構造を示す側面図。
【図１５】本発明に係るレンズ駆動装置を具体化したその他の実施形態について、（ａ）レンズ駆動装置の側面構造を示す側面図、（ｂ）ケースに磁性板が取り付けられた状態の断面構造を示す模式断面図。
【図１６】本発明に係るレンズ駆動装置を具体化したその他の実施形態について、（ａ）ケースに磁性板が取り付けられる態様の斜視構造を示す斜視図、（ｂ）ケースに磁性板が取り付けられた状態の側面構造を示す側面図。
【図１７】本発明に係るレンズ駆動装置を具体化したその他の実施形態について、（ａ）ケースの下面構造を示す下面図、（ｂ）ケースに磁性板が取り付けられた状態の下面構造を示す下面図。
【図１８】本発明に係るレンズ駆動装置の比較例について、（ａ）ベースに磁性板が取り付けられた状態の側面構造を示す側面図、（ｂ）磁性板とホルダとの関係を示す模式図。
【図１９】本発明に係るレンズ駆動装置の比較例について、ベースに磁性板が取り付けられた状態の第１位置決め部付近の上面構造を拡大した拡大図。
【図２０】本発明に係るレンズ駆動装置の比較例について、ケースに磁性板が取り付けられた状態の径方向凹部付近の下面構造を拡大した拡大図。
【発明を実施するための形態】
【００２７】
（第１の実施形態）
図１〜図７を参照して、本発明に係るレンズ駆動装置を携帯電話に搭載されるカメラのオートフォーカスに用いられるレンズ駆動装置として具体化した第１の実施形態について説明する。以降では、予め設定されたレンズの光軸に沿った方向を「光軸方向」といい、レンズの径方向を「径方向」といい、レンズを径方向から取り囲む方向を「周方向」という。また、レンズ駆動装置１の光軸方向において、ベース３０が配置される側を「下方」とし、ケース４０が配置される側を「上方」とする。そして、レンズ駆動装置１の径方向において、光軸に向かう側を「内方」とし、光軸から離れる側を「外方」とする。
【００２８】
まず、図１を参照して、レンズ駆動装置１の全体構成について説明する。
図１に示すように、レンズ駆動装置１は、レンズ駆動装置１が搭載される機器に固定される固定体１Ｂに、この固定体１Ｂに対してレンズの光軸方向に移動可能な移動体１Ａが収納されることにより構成されている。そして、レンズ駆動装置１は、移動体１Ａの光軸方向の移動に伴いレンズが光軸方向に移動することにより、カメラのオートフォーカスを行っている。また、本実施形態のレンズ駆動装置１は、光軸方向の平面視において、約８．５ｍｍの正方形に形成されており、レンズ駆動装置１の光軸方向の高さが、約３ｍｍに形成されている。
【００２９】
移動体１Ａは、レンズ（不図示）を保持する円筒形状のレンズホルダＲＨと、平面視において略八角形のホルダ１０と、板状の磁石２０とにより構成されている。具体的には、ホルダ１０の中央部において、同ホルダ１０を光軸方向に貫通するとともに平面視において円形の貫通孔である開口部１１にレンズホルダＲＨが固定されている。またホルダ１０の径方向の外方には、互いに周方向に一定の距離を介して、磁石２０が４個固定されている。また、これら磁石２０は、ネオジウム磁石（Ne-Fe-B）が用いられている。
【００３０】
固定体１Ｂは、レンズ駆動装置１の外枠を構成するベース３０及びケース４０と、移動体１Ａの光軸方向の移動を支持する２つの円柱形状のシャフト５０，５１と、電流が印加されることにより磁場を形成するコイル６０と、２つの長方形の板状の磁性板７０，７１とにより構成されている。
【００３１】
具体的には、ベース３０には、レンズ駆動装置１の外枠の下面を構成する平面視において中央部にレンズからの光を通すための開口部３１ａを有する略正方形状の基部３１が設けられている。この基部３１の４隅には、基部３１から光軸方向に沿って延設される支柱部３２が設けられている。基部３１の周縁を構成する各辺のうちの２箇所の中央位置には、２個の磁性板７０，７１が固定されている。
【００３２】
支柱部３２には、これら４つの支柱部３２を周方向に取り囲むように導電線が複数回直巻されることによりコイル６０が形成されている。このコイル６０は、周方向の一方向に向かい巻回される第１コイル６１と、この第１コイル６１とは周方向に対して反対方向に向かい巻回される第２コイル６２とから構成されている。
【００３３】
ケース４０には、レンズ駆動装置１の外枠の上面を構成するとともに、中央部に平面視において略円形の中央開口部４１ａを有する略正方形状の天板４１が設けられている。この天板４１の外周縁には、天板４１から光軸方向の下方に向かい延びるとともにレンズ駆動装置１の外枠の側面を構成する側板４２が設けられている。このケース４０は、コイル６０の径方向の外方を外囲するようにベース３０に取り付けられる。
【００３４】
側板４２には、磁性板７０，７１を収納する切欠部４３がそれぞれ設けられている。磁性板７０，７１は、ベース３０にケース４０が取り付けられた後、切欠部４３にそれぞれ収納するようにベース３０に取り付けられている。
【００３５】
次に、図２を参照して、ベース３０の構造について説明する。本実施形態のベース３０は、樹脂材料を射出成形することにより単一部材として構成されている。
図２（ａ）に示すように、ベース３０には、周方向に隣り合う支柱部３２をそれぞれ連結する上方連結部３３及び下方連結部３４が設けられている。上方連結部３３は、支柱部３２の光軸方向の上端同士を連結している。下方連結部３４は、支柱部３２の光軸方向の下端同士を連結している。そして下方連結部３４は、基部３１から光軸方向の上方に突出するように設けられている。
【００３６】
４つの支柱部３２のうちの一の支柱部３２ａの光軸方向の上端には、他の支柱部３２の光軸方向の上端より径方向の内方に突出する上方突出部３５（図２（ａ）中の斜線領域）が設けられている。この上方突出部３５は、支柱部３２と上方連結部３３とのそれぞれに連結している。この上方突出部３５には、シャフト５０を受ける支柱側シャフト受部３６が設けられている。
【００３７】
基部３１における支柱側シャフト受部３６と径方向及び周方向に対応する位置には、シャフト５０を受ける基部側シャフト受部３７が設けられている。したがって、シャフト５０は、支柱側シャフト受部３６及び基部側シャフト受部３７によって光軸方向の２箇所にて受けられている。また基部３１におけるシャフト５１（図１参照）が配置されるところには、基部側シャフト受部３８が設けられている。シャフト５１は、基部側シャフト受部３８のみによって受けられている。
【００３８】
また、基部３１の側面３１ｂのうちの２辺には、磁性板７０，７１を載置するための載置部３１ｃが設けられている。この載置部３１ｃは、基部３１の上面よりも光軸方向の上方に突出し、下方連結部３４より径方向の外方に突出するように設けられている。
【００３９】
これら載置部３１ｃの周方向に隣接する位置には、磁性板７０，７１に周方向に当接することによって、磁性板７０，７１の周方向の位置を決める第１位置決め部３１ｄがそれぞれ設けられている。これら第１位置決め部３１ｄは、下方連結部３４の外側面３４ａから径方向の外方に突出する突形状にてそれぞれ形成されている。
【００４０】
上方連結部３３において、これら第１位置決め部３１ｄの周方向の位置と同じ位置には、磁性板７０，７１に周方向に当接することによって、磁性板７０，７１の周方向の位置を決める第２位置決め部３１ｅがそれぞれ設けられている。これら第２位置決め部３１ｅは、上方連結部３３の外側面３３ａから径方向の外方に突出すると突形状にてそれぞれ形成されている。また第２位置決め部３１ｅは、上方連結部３３の外側面３３ａの光軸方向に亘り設けられている。
【００４１】
図２（ｂ）及び図２（ｃ）に示すように、載置部３１ｃの光軸方向の上面３１ｃ１は、周方向及び径方向に沿った平面形状として設けられている。また第１位置決め部３１ｄにおける載置部３１ｃの上面３１ｃ１と接続する側面３１ｄ１は、光軸方向及び径方向に沿った平面形状として設けられている。また、下方連結部３４の外側面３４ａにおける載置部３１ｃの上面３１ｃ１と接続する部位は、周方向及び光軸方向に沿った平面形状として設けられている。以上により、載置部３１ｃの上面３１ｃ１、第１位置決め部３１ｄの側面３１ｄ１及び下方連結部３４の外側面３４ａはそれぞれ互いに直交している。また第１位置決め部３１ｄは、下方連結部３４における載置部３１ｃの上面３１ｃ１よりも光軸方向の上方の部位の光軸方向の全体に亘り設けられている。
【００４２】
次に、図３及び図４を参照して、ベース３０に磁性板７０，７１が取り付けられた状態について説明する。なお、ベース３０に磁性板７０，７１が取り付けられる構造は概ね共通しているため、本実施形態では、ベース３０に磁性板７０が取り付けられる構造について説明する。
【００４３】
図３に示すように、磁性板７０の光軸方向の下端部は、その下端面７０ｂが載置部３１ｃの上面３１ｃ１に当接し、その周方向の側面７０ｃが第１位置決め部３１ｄの側面３１ｄ１に当接し、その径方向の内面が下方連結部３４の外側面３４ａに当接している。また磁性板７０の光軸方向の上端部は、その周方向の側面７０ｃが第２位置決め部３１ｅの側面３１ｅ１に当接し、その径方向の内面が上方連結部３３の外側面３３ａに当接している。ここで、磁性板７０の下端面７０ｂが載置部３１ｃの上面３１ｃ１に当接することにより、磁性板７０の光軸方向の位置が決定される。そして磁性板７０の径方向の側面が下方連結部３４の外側面３４ａ及び上方連結部３３の外側面３３ａにそれぞれ当接することにより、磁性板７０の径方向の位置が決定される。
【００４４】
また、第１位置決め部３１ｄの側面３１ｄ１及び第２位置決め部３１ｅの側面３１ｅ１は互いに周方向の位置が略同位置となるように配置されている。そしてこれら側面３１ｄ１，３１ｅ１にそれぞれ磁性板７０の周方向の側面７０ｃの光軸方向の下端部及び上端部がそれぞれ当接するため、磁性板７０の周方向の位置が決定されるとともに磁性板７０の周方向への傾きが抑制されるようになる。
【００４５】
特に、ベース３０が射出成形により一体に成形されるため、第１位置決め部３１ｄと第２位置決め部３１ｅとの周方向の位置精度及び載置部３１ｃの上面３１ｃ１に対する垂直度が金型精度によって決定されるようになる。したがって、ベース３０と第１位置決め部３１ｄ及び第２位置決め部３１ｅとが別体にて形成された上、これらを互いに組み合わせることにより構成される場合と比較して、上記周方向の位置精度及び上面３１ｃ１に対する垂直度が向上するようになる。またベース３０を射出成形した後に追加工により第１位置決め部３１ｄ及び第２位置決め部３１ｅを形成する場合と比較して、ベース３０の製造コストを低減することができるようになる。
【００４６】
ところで、図１８（ａ）に示すように、ベース３０に第１位置決め部３１ｄ及び第２位置決め部３１ｅが設けられていない構造では、ベース３０に磁性板７０を取り付けるときに、予め設定された磁性板７０の位置（図１８（ａ）中の破線にて示す磁性板７０）に対して磁性板７０が周方向に傾いた状態となってしまう場合がある。この磁性板７０の傾きに起因して、図１８（ｂ）に示すように、ホルダ１０が予め設定された光軸に対して傾いた状態にて移動してしまう。具体的には、磁性板７０とこの磁性板７０に径方向に対向する磁石２０との間の磁力によって、磁石２０が磁性板７０の傾きに沿った傾きになるように力がホルダ１０（移動体１Ａ）に加わるようになる。
【００４７】
また、ホルダ１０が傾いた状態にて移動するため、シャフト５０，５１（図１参照）に対してホルダ１０が必要以上に圧接した状態となる。したがって、シャフト５０，５１とホルダ１０との摩擦力が必要以上に大きくなるため、オートフォーカスの応答性が低下するとともに、移動体１Ａを移動させるのに必要なコイル６０（図１参照）に供給される電流が大きくなってしまう問題が発生してしまう。
【００４８】
その点において、本実施形態では、第１位置決め部３１ｄ及び第２位置決め部３１ｅによって磁性板７０の周方向への傾きが抑制されるため、ホルダ１０が予め設定された光軸に対して傾くことが抑制されるようになる。したがって、磁性板７０の周方向への傾きに起因して発生する上述の問題が抑制されるようになる。
【００４９】
また、磁性板７０の周方向への傾きを抑制する構成として、図１９に示すような磁性板７０の周方向の両側をそれぞれ当接する構成が考えられる。即ち、第１位置決め部１００が磁性板７０の周方向の両側に設けられるとともに、第１位置決め部１００の周方向の幅Ｈ１が磁性板７０の周方向の幅Ｈ２と同じ大きさに設定されている。しかしながら、このような構成では、第１位置決め部１００を射出成形によって成形する場合において、その成形誤差によって第１位置決め部１００の周方向の幅Ｈ１が磁性板７０の周方向の幅Ｈ２よりも小さくなってしまう場合がある。この場合には、磁性板７０が第１位置決め部１００に正確に配置することができず、第１位置決め部１００に対して傾いた状態にて配置される問題が発生するようになる。
【００５０】
その点において、本実施形態では、第１位置決め部３１ｄは磁性板７０の周方向の片側のみに形成されるとともに、磁性板７０の側面７０ｃのみと当接するため、上述の問題の発生を抑制することができるようになる。
【００５１】
図４に示すように、コイル６０は、上方連結部３３及び下方連結部３４の光軸方向の間に形成されている。これら上方連結部３３の外側面３３ａ及び下方連結部３４の外側面３４ａは、コイル６０の最も外方の位置よりも径方向の外方に位置するように設けられている。即ち、連結部である上方連結部３３及び下方連結部３４は、コイル６０よりも径方向の外方となる部位である外側面３３ａ，３４ａをそれぞれ有する。また、これら外側面３３ａ，３４ａの径方向の位置は互いに同位置となるように設けられている。
【００５２】
磁性板７０は、上方連結部３３及び下方連結部３４よりも径方向の外方に配置されている。これにより、磁性板７０の径方向の位置は、コイル６０の径方向の最も外方の位置よりも径方向の外方に位置するようになる。これにより、磁性板７０とコイル６０とが接触することにより、磁性板７０が径方向の外方に傾くことが抑制されるようになる。上述の構成は、磁性板７１も同様である。
【００５３】
次に、図５を参照して、ホルダ１０の構造及びホルダ１０と磁性板７０，７１との関係について説明する。また、図５の移動体１Ａでは、移動体１ＡのレンズホルダＲＨを省略して示している。本実施形態のホルダ１０は、樹脂材料を射出成形することにより構成されている。
【００５４】
図５に示すように、ホルダ１０の磁石２０が配置される位置には、各磁石２０を保持するための保持部１２が設けられている。この保持部１２は、光軸方向の上方を開口するとともに、ホルダ１０の側面から径方向の内方に凹む凹形状として設けられている。
【００５５】
ホルダ１０における周方向に隣り合う磁石２０の間には、シャフト５０，５１をそれぞれ挿通可能とする挿通部１３，１４がそれぞれ設けられている。
挿通部１３は、ホルダ１０を光軸方向に貫通するとともに、光軸方向の平面視において円形の貫通孔として設けられている。この挿通部１３の内径Ｒ１は、シャフト５０の外径と略同一となるように設けられている。
【００５６】
挿通部１４は、ホルダ１０を光軸方向に貫通するとともに、光軸方向の平面視において長穴形状の貫通孔として設けられている。この挿通部１４は、挿通部１３及び挿通部１４の各中心を結んだ対角線Ｌ２に沿った方向を長径Ｒ２として、対角線Ｌ２と直交する方向を短径Ｒ３として形成されている。また、挿通部１４は、短径Ｒ３がシャフト５１の外径と略同一となり、長径Ｒ２がシャフト５１の外径よりも大きくなるように設けられている。これにより、挿通部１４の長径Ｒ２に対応する内周面とシャフト５１の外周面との間には、間隙が形成されるようになる。
【００５７】
これにより、基部側シャフト受部３７，３８の各中心を結んだ直線の距離（第１距離）と、挿通部１３，１４の各中心を結んだ直線との距離（第２距離）とが互いに異なったとしても、挿通部１４の長径Ｒ２とシャフト５１とによる間隙により、上記第１距離と上記第２距離との差分を吸収するようになる。具体的には、基部側シャフト受部３８の中心と挿通部１４の中心とが上記差分だけ異なるようになる。しかしながら、挿通部１４の長径Ｒ２とシャフト５１とによる間隙により、シャフト５１と挿通部１４の長径Ｒ２に対応する内周面とが接触することが抑制されるようになる。したがって、上記第１距離及び上記第２距離の差に起因して、シャフト５０，５１の垂直度が低下することを抑制することができるようになる。
【００５８】
次に移動体１Ａと磁性板７０，７１との配置関係について説明する。
移動体１Ａのホルダ１０の挿通部１３，１４には、シャフト５０，５１がそれぞれ挿入されている。そして、磁性板７０，７１は、挿通部１３，１４によって形成された対角線Ｌ２を中心線として、この中心線の片側のみに配置されている。これら２個の磁性板７０は、各磁性板７０に径方向に対向する磁石２０の中央位置にそれぞれ配置されている。
【００５９】
ここで、磁性板７０とこの磁性板７０に径方向に対向する磁石２０とによって発生する磁石２０の径方向の外側への引力Ｆ１の方向と、磁性板７１とこの磁性板７１に径方向に対向する磁石２０とによって発生する磁石２０の径方向の外側への引力Ｆ２の方向とは、互いに直交している。そして、引力Ｆ１と引力Ｆ２との合力Ｆ３の方向は、対角線Ｌ２に対して垂直方向に働く。
【００６０】
この合力Ｆ３により、移動体１Ａが合力Ｆ３の方向に引っ張られるため、挿通部１３，１４を構成する内周面とシャフト５０，５１とは、常に接触した状態に維持されている。即ち、これら２個の磁石２０と、これら磁石２０に径方向に対向する磁性板７０，７１とにより、移動体１Ａ（ホルダ１０）を径方向の一方向である対角線Ｌ２に対して垂直方向に付勢する付勢手段を構成している。この付勢手段により、ホルダ１０の挿通部１３，１４を構成する内周面とシャフト５０，５１とが圧接された状態を維持している。そして、移動体１Ａが光軸方向に移動する際、挿通部１３，１４を構成する内周面とシャフト５０，５１とが摺動することにより、移動体１Ａはシャフト５０，５１にガイドされる。
【００６１】
次に、図６を参照して、レンズ駆動装置１の駆動動作について説明する。図６中の一点鎖線は、光軸方向を示す。
図６（ａ）では、移動体１Ａは、ホームポジションに位置している。具体的には、移動体１Ａのホルダ１０の下面が、ベース３０の基部３１の上面と接触している。移動体１Ａがホームポジションに位置しているとき、コイル６０には、電流が印加されていない。
【００６２】
そして、コイル６０に図６（ａ）に示す電流が印加されると、移動体１Ａは、図６（ｂ）に示す位置まで移動する。具体的には、コイル６０の周囲に磁場が発生する。そして、これら磁場と磁石２０とにより磁気回路が形成されて、移動体１Ａを光軸方向の上側に向かい移動させる力が発生する。そして、移動体１Ａは、図６（ａ）に示すホームポジションから光軸方向の上側に向かい図６（ｂ）の位置まで移動する。
【００６３】
一方、コイル６０に図６（ａ）に示す向きとは逆向きの電流が印加された場合、この磁場と磁石２０とにより磁気回路が形成されて、移動体１Ａを光軸方向の下側に向かい移動させる力が発生する。即ち、移動体１Ａは、図６（ｂ）の位置からホームポジションに向かい移動する。ここで、図６（ａ）中のコイル６０に付されたマークについて、円に黒点のマークは、図面参照者に向かってくる方向を示し、円にバツのマークは、図面参照者から遠ざかる方向を示す。
【００６４】
以上のように、移動体１Ａを光軸方向の上方及び下方に移動させながら、レンズをオンフォーカス位置に移動させる。このとき、磁性板７０，７１とこれら磁性板７０，７１と径方向に対向する磁石２０との間に生じる磁力により、移動体１Ａは、シャフト５０，５１に対して摺動する。このため、移動体１Ａを鉛直方向に動かす場合にも、重力の影響を受けにくくなる。また、レンズをオンフォーカス位置に移動させた後に、コイル６０への電流の印加を遮断しても、上記の磁石２０と磁性板７０，７１との間の磁力により、移動体１Ａはオンフォーカス位置に維持される。
【００６５】
次に、図７を参照して、本実施形態のレンズ駆動装置１をカメラに搭載する場合のカメラモジュールの構成について説明する。
図７に示すように、レンズ駆動装置１のベース３０側には、フィルタ２とイメージセンサ３とが配置されている。即ち、ベース３０の光軸方向の下方には、フィルタ２とイメージセンサ３とが配置されている。ベース３０には、位置検出素子としてホール素子４が配置される。そして、ホール素子４からの信号に基づいて、移動体１Ａの位置検出が行われる。
【００６６】
フォーカス動作時、ＣＰＵ（Central Processing Unit）５は、ドライバ６を制御して、移動体１Ａをホームポジションから予め設定された位置まで光軸方向の上方に移動させる。このとき、ホール素子４からの位置検出信号がＣＰＵ５に入力される。同時に、ＣＰＵ５は、イメージセンサ３から入力される信号を処理して撮像画像のコンストラスト値を取得する。そして、このコンストラスト値が最良となる移動体１Ａの位置をオンフォーカス位置として取得する。
【００６７】
その後、ＣＰＵ５は、オンフォーカス位置に向けて移動体１Ａを駆動する。その際、ＣＰＵ５は、ホール素子４からの信号をモニタし、ホール素子４からの信号がオンフォーカス位置に対応する状態になるまで、移動体１Ａを駆動する。これにより、移動体１Ａがオンフォーカス位置に位置づけられる。
【００６８】
本実施形態のレンズ駆動装置１によれば、以下に示す効果を奏することができる。
（１）本実施形態では、ベース３０に磁性板７０の側面７０ｃのみと周方向に当接する第１位置決め部３１ｄが設けられる構成である。したがって、第１位置決め部３１ｄが設けられていない構成と比較して、磁性板７０の周方向への傾きをそれぞれ抑制することができるようになる。これは、磁性板７１についても同様の効果を奏することができる。
【００６９】
（２）本実施形態では、ベース３０に第１位置決め部３１ｄと第２位置決め部３１ｅの両方が設けられる構成である。そして、第１位置決め部３１ｄの側面３１ｄ１と第２位置決め部３１ｅの側面３１ｅ１とは互いに周方向に略同位置に配置される構成である。したがって、磁性板７０，７１をそれぞれ光軸方向の２点にて当接することができるため、磁性板７０，７１の周方向における予め設定された光軸方向に対する傾きをそれぞれ抑制することができるようになる。
【００７０】
（３）本実施形態では、ベース３０の下方連結部３４の外側面３４ａに磁性板７０，７１がそれぞれ当接する。したがって、上記外側面３４ａが径方向位置決め部の役割を果たすため、磁性板７０，７１とこれら磁性板７０，７１に径方向に対向する磁石２０との径方向の間の距離を互いに等しく設定することができるようになる。したがって、磁性板７０とこの磁性板７０と径方向に対向する磁石２０との間の磁力と、磁性板７１とこの磁性板７１と径方向に対向する磁石２０との間の磁力とを互いに等しくすることができるようになる。
【００７１】
（４）また、下方連結部３４の外側面３４ａが径方向位置決め部の役割を果たすため、別途径方向位置決め部を専用に設ける構成と比較して、ベース３０の形状の簡単化を図ることができるようになる。
【００７２】
（５）本実施形態では、磁性板７０，７１は、下方連結部３４の外側面３４ａと上方連結部３３の外側面３３ａとの両面にそれぞれ当接する構成である。したがって、磁性板７０，７１の径方向における予め設定された光軸に対する傾きを抑制することができるようになる。その上、下方連結部３４及び上方連結部３３のそれぞれが径方向位置決め部を兼ねる構成であるため、ベース３０に径方向位置決め部の専用の形状を設けることを省略することができる。したがって、ベース３０の形状を簡単化することができる。
【００７３】
（６）本実施形態では、第１位置決め部３１ｄが下方連結部３４に設けられる構成である。したがって、下方連結部３４は、コイル６０を支柱部３２に直巻することにより支柱部３２が倒れることを抑制すること、及び磁性板７０，７１の周方向への傾きを抑制することの両方を合わせ有するものとなる。また、第２位置決め部３１ｅが上方連結部３３に設けられる構成である。したがって、上方連結部３３は、下方連結部３４と同様の効果を奏することができるようになる。
【００７４】
（７）本実施形態では、下方連結部３４に第１位置決め部３１ｄが設けられ、上方連結部３３に第２位置決め部３１ｅが設けられる構成である。したがって、ベースに別途第１位置決め部及び第２位置決め部を専用に設ける構成と比較して、ベース３０の形状の簡単化を図ることができるようになる。
【００７５】
（８）本実施形態では、下方連結部３４の外側面３４ａ及び上方連結部３３の外側面３３ａは、コイル６０よりも径方向の外方に配置される構成である。したがって、これら外側面３３ａ，３４ａに当接する磁性板７０，７１とコイル６０との径方向の間には間隙が形成されるため、磁性板７０，７１とコイル６０との接触を回避することができるようになる。したがって、上記接触に起因して磁性板７０，７１が径方向の外方に傾くことを抑制することができる。
【００７６】
（９）特に、上方連結部３３及び下方連結部３４により磁性板７０，７１の径方向の内面における光軸方向の上端部及び下端部をそれぞれ当接することにより、磁性板７０，７１の径方向の内方への傾きを抑制することができるようになる。したがって、磁性板７０，７１の径方向の内方への傾きに起因するコイル６０と接触をより確実に回避することができるようになる。その上、磁性板７０，７１の径方向への傾きを抑制できるため、磁性板７０，７１の光軸方向の略全体に亘り、磁石２０と磁性板７０，７１との径方向の距離を高精度に同じ大きさとすることができるようになる。
【００７７】
（１０）近年携帯電話の薄型化に加え、付加機能の増大に伴い、携帯電話内に配置される電子部品が増大している。そのため、各電子部品が配置されるスペースが減少するので、各電子部品には、小型化及び薄型化が要求されている。そこで、レンズ駆動装置１も同様に小型化及び薄型化が要求されている。そのため、レンズ駆動装置１の光軸方向も可能な限り薄型化して構成されている。これにより、磁性板７０，７１が予め設定された光軸方向に対して傾いたときには、レンズ駆動装置が薄型化されていない構成と比較して、その傾きが及ぼす影響が増大してしまう。その点において、本実施形態では、第１位置決め部３１ｄ及び第２位置決め部３１ｅにより磁性板７０，７１の上記傾きを抑制しているため、レンズ駆動装置１を薄型化しても磁性板７０，７１の上記傾きによる影響の増大を抑制することができるようになる。その結果、本実施形態のレンズ駆動装置１は、携帯電話に好適に適用することができるようになる。
【００７８】
（第２の実施形態）
図８〜図１０を参照して、本発明に係るレンズ駆動装置を携帯電話に搭載されるカメラのオートフォーカスに用いられるレンズ駆動装置として具体化した第２の実施形態について説明する。ここで、本実施形態では、第１の実施形態と比較して、ケース４０の側板４２の形状、及び磁性板７０，７１の取付態様が異なる。以下、第１の実施形態と異なる部分を中心に説明する。また同一部材及び同一部位には、同一の符号を付し、その説明を省略する。なお、本実施形態のケース４０は、金属板をプレス加工することにより単一部材として構成されている。
【００７９】
図８（ａ）に示すように、ケース４０の側板４２には、周方向及び光軸方向に沿った平面形状である４つの平面部４２１が設けられている。これら平面部４２１のそれぞれの周方向の間には、各平面部４２１を連結するとともに湾曲形状に屈曲して形成された連結部４２２が設けられている。
【００８０】
ケース４０の天板４１の中央部には、平面視において略円形の貫通孔である中央開口部４１ａが設けられている。またケース４０の天板４１の４隅には、光軸方向に貫通するとともに平面視において円形の貫通孔である開口部４１ｂがそれぞれ設けられている。また、ケース４０の側板４２の各辺の外面４２ａは、周方向に亘り面一に設けられている。
【００８１】
図８（ｂ）に示すように、側板４２のうちの２辺の周方向の中央位置には、側板４２の内面４２ｂから径方向の外方に凹む凹形状の径方向凹部４２ｃがそれぞれ設けられている。これら径方向凹部４２ｃの光軸方向の下端部には、光軸方向の上方に向かい凹む光軸方向凹部４２ｄが設けられている。
【００８２】
次に、図９を参照して、ケース４０と磁性板７０，７１との配置関係について説明する。
図９（ａ）に示すように、磁性板７０，７１は、それぞれケース４０の径方向凹部４２ｃ内に配置されている。具体的には、図９（ｂ）に示すように、磁性板７０，７１は、径方向凹部４２ｃの周方向の一方の面４２ｃ１及び径方向凹部４２ｃの内面４２ｃ２にそれぞれ当接した状態において、接着剤により径方向凹部４２ｃに固定されている。ここで、径方向凹部４２ｃの周方向の幅Ｄ１は、磁性板７０，７１の周方向の幅Ｄ２よりも大きくなるように形成されている。そして、磁性板７０，７１は、径方向凹部４２ｃの面４２ｃ１のみと当接している。また、上記面４２ｃ１は、光軸方向及び径方向に沿った平面として形成されている。
【００８３】
また、径方向凹部４２ｃに磁性板７０，７１を固定した状態において、側板４２の内面４２ｂと磁性板７０，７１の内面７０ａ，７１ａとは面一となる。即ち側板４２の内面４２ｂと磁性板７０，７１の内面７０ａ，７１ａとの各径方向の位置は、互いに略等しくなる。
【００８４】
ここで、磁性板７０，７１の周方向への傾きを抑制する構成として、図２０に示すような磁性板７０，７１が径方向凹部１１０の周方向の両側の面と当接する構成が考えられる。即ち、径方向凹部１１０の周方向の幅Ｈ３が磁性板７０，７１の周方向の幅Ｈ２と同じ大きさに設定されている。しかしながら、このような構成では、プレス加工の成形誤差により径方向凹部１１０の幅Ｈ３が磁性板７０，７１の幅Ｈ２よりも小さくなってしまう場合がある。この場合には、磁性板７０が径方向凹部１１０に正確に配置することができず、径方向凹部１１０に対して傾いた状態にて配置される問題が発生するようになる。この問題は、磁性板７１についても同様に発生する。
【００８５】
その点において、本実施形態では、径方向凹部４２ｃの幅Ｄ１が磁性板７０，７１の幅Ｄ２よりも大きく形成されるとともに、磁性板７０，７１が径方向凹部４２ｃの周方向の片側のみと当接するため、上述の問題の発生を抑制することができるようになる。
【００８６】
次に、図１０を参照して、磁性板７０，７１とベース３０とコイル６０との配置関係について説明する。
図１０に示すように、ケース４０の側板４２は、ベース３０の上方連結部３３及び下方連結部３４を外囲するとともに、上方連結部３３及び下方連結部３４と嵌合している。
【００８７】
側板４２の径方向の位置は、上方連結部３３の外側面３３ａ及び下方連結部３４の外側面３４ａより径方向の外方に位置するため、コイル６０の径方向の位置よりも径方向の外方に位置するようになる。
【００８８】
磁性板７０は、側板４２内に収納されるため、上方連結部３３の外側面３３ａ及び下方連結部３４の外側面３４ａよりも径方向の外方に配置されるようになる。これにより、磁性板７０の径方向の位置は、コイル６０の径方向の最も外方の位置よりも径方向の外方に位置するようになる。そして、組立誤差等により磁性板７０を径方向の内方に移動したときには、コイル６０に接触する前に上方連結部３３の外側面３３ａと下方連結部３４の外側面３４ａとの両方に接触するため、磁性板７０とコイル６０との接触が抑制されるようになる。上述の構成は、磁性板７１も同様である。
【００８９】
本実施形態のレンズ駆動装置１によれば、以下の効果を奏することができる。
（１）本実施形態では、ケース４０の側板４２の径方向凹部４２ｃの周方向の一方の面４２ｃ１のみに対して磁性板７０，７１がそれぞれ周方向に当接する構成である。したがって、磁性板７０，７１が上記面４２ｃ１に当接しない場合及び磁性板７０，７１が径方向凹部の周方向の両側と当接する場合と比較して、磁性板７０，７１の周方向への傾きをそれぞれ抑制することができるようになる。
【００９０】
（２）本実施形態では、径方向凹部４２ｃの内面４２ｃ２に磁性板７０，７１がそれぞれ当接する構成である。したがって、磁性板７０，７１とこれら磁性板７０，７１に径方向に対向する磁石２０との間の距離を互いに等しく設定することができる。
【００９１】
（３）本実施形態では、上方連結部３３の外側面３３ａと下方連結部３４の外側面３４ａはそれぞれコイル６０よりも径方向の外方に配置される構成である。したがって、ケース４０のベース３０に対する組立誤差等により、磁性板７０，７１が径方向の内方に移動したとしても、これら外側面３３ａ，３４ａに当接するため、磁性板７０，７１とコイル６０との径方向の間には間隙が形成されるようになる。したがって、磁性板７０，７１とコイル６０との接触を回避することができるようになる。その結果、上記接触に起因して、磁性板７０，７１が変形することを抑制することができる。これにより、磁性板７０，７１の変形に起因して、磁性板７０，７１と磁石２０との径方向の距離が変化することが抑制されるようになる。
【００９２】
（その他の実施形態）
本発明のレンズ駆動装置及びこれを備えるカメラモジュールの具体的な構成は、上記各実施形態に例示した構成に限定されることなく、例えば以下のように変更することもできる。また以下の変形例は、上記各実施形態についてのみ適用されるものではなく、異なる変形例同士を互いに組み合わせて実施することもできる。
【００９３】
・第１の実施形態のレンズ駆動装置１では、載置部３１ｃが基部３１よりも光軸方向の上方に向かい突出する突形状として設けられたが、載置部３１ｃの形状はこれに限定されることはない。例えば、図１１（ａ）に示すように、載置部３１ｃは基部３１よりも光軸方向の下方に向かい凹む凹形状として設けることもできる。この載置部３１ｃの周方向の幅は磁性板７０，７１の周方向の幅よりも大きくなるように形成されている。この場合、載置部３１ｃを構成する周方向の一方側の側面３１ｃ２が第１位置決め部を構成するようになる。そして、図１１（ｂ）に示すように、磁性板７０は、載置部３１ｃの上面３１ｃ１、側面３１ｃ２及び載置部３１ｃが設けられた基部３１の側面３１ｂに当接するようになる。これにより、第１の実施形態の効果（１）〜（１０）と同様の効果を奏することができる。
【００９４】
・第１の実施形態のレンズ駆動装置１では、下方連結部３４に第１位置決め部３１ｄが設けられ、上方連結部３３に第２位置決め部３１ｅが設けられる構成であったが、磁性板７０，７１の周方向の位置を決める位置決め部の個数はこれに限定されることはない。例えば、図１２に示すように、下方連結部３４と上方連結部３３との光軸方向の間の中間位置に、中間連結部３９を設け、この中間連結部３９に第３位置決め部３１ｆを設ける構成とすることもできる。これにより、第１の実施形態の効果（１）〜（１０）と同様の効果を奏することができる。
【００９５】
・また、上述の位置決め部は、必ずしも上方連結部３３に設ける必要はない。例えば、図１３に示すように、ベース３０に上方連結部３３を省略し、中間連結部３９を設ける構成とし、磁性板７０，７１が第１位置決め部３１ｄと第３位置決め部３１ｆとにそれぞれ当接する構成とすることもできる。また、ベース３０に上方連結部３３は省略せずに、上方連結部３３の第２位置決め部３１ｅのみを省略する構成とすることもできる。これにより、第１の実施形態の効果（１）〜（１０）と同様の効果を奏することができる。
【００９６】
・第１の実施形態のレンズ駆動装置１では、下方連結部３４に第１位置決め部３１ｄが設けられ、上方連結部３３に第２位置決め部３１ｅが設けられる構成であったが、第１位置決め部３１ｄ及び第２位置決め部３１ｅが設けられる位置はこれに限定されることはない。例えば、図１４に示すように、ベース３０の基部３１の載置部３１ｃに近接する位置に、光軸方向に向かい延びる支持部８０が設けられる構成とし、この支持部８０の光軸方向の下端部及び上端部に第１位置決め部８１及び第２位置決め部８２をそれぞれ設ける構成とすることもできる。これにより、第１の実施形態の効果（１）〜（３）及び（１０）と同様の効果を奏することができる。
【００９７】
・第１の実施形態のレンズ駆動装置１では、磁性板７０，７１が上方連結部３３の外側面３３ａ及び下方連結部３４の外側面３４ａにそれぞれ当接することにより、磁性板７０，７１の径方向の位置が決定されたが、磁性板７０，７１の径方向の位置を決定する構造はこれに限定されることはない。例えば、図１５（ｂ）に示すように、ケース４０の切欠部４３の光軸方向の上端部において、この切欠部４３の光軸方向の幅を小さくする段形状の当接部４３ａが設けられ、ベース３０の基部３１における切欠部４３と対応する位置に段形状の当接部３１ｇが設けられる。そしてこれら当接部４３ａ，３１ｇに磁性板７０を当接することにより、磁性板７０の径方向の位置を決定することもできる。なお、図示しないが、磁性板７１についても同様である。これにより、第１の実施形態の効果（２），（５），（８）〜（１０）と同様の効果を奏することができる。
【００９８】
・また、この構成では、図１５（ａ）に示すように、切欠部４３の周方向の一方側の側面４３ｂに磁性板７０が当接することによって、磁性板７０の周方向の位置決めを行うこともできる。これにより、ベース３０の下方連結部３４に設けられた第１位置決め部３１ｄ及び上方連結部３３に設けられた第２位置決め部３１ｅを省略することができる。これにより、上述の効果に加え、第１の実施形態の効果（１）と同様の効果を奏することができる。
【００９９】
・また、図１６に示すように、ケース４０の切欠部４３に代えて、側板４２の外側面から径方向の内方に凹む凹形状の凹部４４を設け、この凹部４４に磁性板７０を収納する構成とすることもできる。この場合には、凹部４４の底面４４ａに磁性板７０が当接することにより、磁性板７０の径方向の位置が決定される。そして、凹部４４の周方向の一方側の側面４４ｂに磁性板７０が当接することにより、磁性板７０の周方向の位置が決定される。これにより、第１の実施形態の効果（１），（２），（５），（８）〜（１０）と同様の効果を奏することができる。
【０１００】
・第２の実施形態のレンズ駆動装置１では、ケース４０の側板４２の外面が面一に構成されたが、側板４２の外面の構成はこれに限定されることはない。例えば、図１７（ａ）に示すように、径方向凹部４２Ｂ３をケース４０Ｂの側板４２Ｂの外面４２Ｂ１及び内面４２Ｂ２の両面が径方向の外方に突出するように成形することもできる。この場合には、図１７（ｂ）に示すように、径方向凹部４２Ｂ３に磁性板７０Ｂ，７１Ｂがそれぞれ収納されるようになる。この径方向凹部４２Ｂ３の周方向の幅は磁性板７０Ｂ，７１Ｂの周方向の幅よりも大きくなるように形成されている。そして径方向凹部４２Ｂ３の周方向の一方の面４２Ｂ４に磁性板７０Ｂ，７１Ｂが当接するようになる。これにより、第２の実施形態の効果（１）〜（３）と同様の効果を奏することができる。
【０１０１】
・第２の実施形態のレンズ駆動装置１では、径方向凹部４２ｃの磁性板７０，７１と当接する面４２ｃ１が光軸方向及び径方向に沿った一面として形成されたが、磁性板７０，７１と当接する面の構成はこれに限定されることはない。例えば、上記面のうちの光軸方向の上端部及び下端部に磁性板７０，７１に向かい周方向に沿って突出する突起部が設けられる構成とすることもできる。この場合、磁性板７０，７１は上記突起部と当接することとなる。これにより、第２の実施形態の効果（１）〜（３）と同様の効果を奏することができる。
【０１０２】
・上記各実施形態のレンズ駆動装置１では、携帯電話に搭載されるカメラモジュールに適用されたが、本発明の適用範囲はこれに限定されることはない。例えば、他の携帯機器に搭載されたカメラモジュールに適用されてもよい。
【符号の説明】
【０１０３】
１…レンズ駆動装置、１Ａ…移動体、１Ｂ…固定体、２…フィルタ、３…イメージセンサ、４…ホール素子、５…ＣＰＵ、６…ドライバ、１０…ホルダ、１１…開口部、１２…保持部、１３…挿通部、１４…挿通部、２０…磁石、３０…ベース、３１…基部、３１ａ…開口部、３１ｂ…側面、３１ｃ…載置部、３１ｃ１…上面、３１ｃ２…側面（周方向位置決め部）、３１ｄ…第１位置決め部（周方向位置決め部）、３１ｄ１…側面（面）、３１ｅ…第２位置決め部（周方向位置決め部）、３１ｅ１…側面（面）、３１ｆ…第３位置決め部（周方向位置決め部）、３１ｇ…当接部、３２…支柱部、３２ａ…支柱部、３３…上方連結部（連結部、第１連結部）、３３ａ…外側面（径方向位置決め部、側面）、３４…下方連結部（連結部、第２連結部）、３４ａ…外側面（径方向位置決め部、側面）、３５…上方突出部、３６…支柱側シャフト受部、３７…基部側シャフト受部、３８…基部側シャフト受部、３９…中間連結部、４０，４０Ｂ…ケース、４１…天板、４１ａ…開口部、４２，４２Ｂ…側板、４２ａ，４２Ｂ１…外面、４２ｂ，４２Ｂ２…内面、４２ｃ，４２Ｂ３…径方向凹部、４２ｃ１，４２Ｂ４…周方向の一方の面、４２ｃ２…内面、４３…切欠部、４３ａ…当接部、４３ｂ…側面、４４…凹部、４４ａ…底面、４４ｂ…側面、５０，５１…シャフト、６０…コイル、６１…第１コイル、６２…第２コイル、７０，７０Ｂ…磁性板、７０ａ…内面、７０ｂ…下端面、７０ｃ…側面、７１，７１Ｂ…磁性板、７１ａ…内面、４２１…平面部、４２２…連結部、ＲＨ…レンズホルダ。
【図１】
2012225945.tif 000003
【図２】
2012225945.tif 000004
【図３】
2012225945.tif 000005
【図４】
2012225945.tif 000006
【図５】
2012225945.tif 000007
【図６】
2012225945.tif 000008
【図７】
2012225945.tif 000009
【図８】
2012225945.tif 000010
【図９】
2012225945.tif 000011
【図１０】
2012225945.tif 000012
【図１１】
2012225945.tif 000013
【図１２】
2012225945.tif 000014
【図１３】
2012225945.tif 000015
【図１４】
2012225945.tif 000016
【図１５】
2012225945.tif 000017
【図１６】
2012225945.tif 000018
【図１７】
2012225945.tif 000019
【図１８】
2012225945.tif 000020
【図１９】
2012225945.tif 000021
【図２０】
2012225945.tif 000022